(57)【要約】【課題】一対の垂直偏向コイルの相対位置にばらつきを生じることなく、クロストーク調整を適切に行えるようにする。【解決手段】偏向ヨークの構成として、Ｚ軸方向の一方を他方よりも大きく開口した筒形のセパレータ１８と、このセパレータ１８の外側に巻装されるとともに、Ｘ軸方向で互いに対向する状態に配置された一対の垂直偏向コイル１７と、セパレータ１８に取り付けられるとともに、Ｘ軸方向から一対の垂直偏向コイル１７を突き当てることにより当該一対の垂直偏向コイル１７の突き合わせ部分に所定の間隔を確保し、かつその突き合わせ部分で一対の係合部３０を一対の垂直偏向コイル１７に係合させることにより当該一対の垂直偏向コイル１７を相互に連結する連結部２７を有する一対のリブスペーサ２４とを備える。【選択図】　　　　図５
2004022258.tif 000002
【特許請求の範囲】
【請求項１】
ヨーク中心軸方向の一方を他方よりも大きく開口した筒形のセパレータと、
前記セパレータの外側に巻装されるとともに、ヨーク水平軸方向で互いに対向する状態に配置された一対の垂直偏向コイルと、
前記セパレータに取り付けられるとともに、前記ヨーク水平軸方向から前記一対の垂直偏向コイルを突き当てることにより当該一対の垂直偏向コイルの突き合わせ部分に所定の間隔を確保し、かつその突き合わせ部分で前記一対の垂直偏向コイルを相互に連結する連結部を有する一対のスペーサ部材と
を備えることを特徴とする偏向ヨーク。
【請求項２】
前記一対のスペーサ部材の各連結部は、前記セパレータの大径開口部側で前記一対の垂直偏向コイルに係合する一対の係合部を有する
ことを特徴とする請求項１記載の偏向ヨーク。
【請求項３】
前記セパレータは、前記スペーサ部材の本体部を当該セパレータの内周側に露出させる連通部を有し、
前記一対のスペーサ部材は、前記連通部を介して前記セパレータの内周側に露出し、かつ、クロストーク調整用治具を係止可能な係止部を有する
ことを特徴とする請求項１記載の偏向ヨーク。
【請求項４】
前記セパレータの外側に前記一対の垂直偏向コイルを覆う状態で筒状の磁性体コアを装着するとともに、前記磁性体コアの開口端を前記一対のスペーサ部材の各連結部に押し当てることにより、前記一対の垂直偏向コイルと前記一対の係合部との係合状態を保持してなる
ことを特徴とする請求項２記載の偏向ヨーク。
【発明の詳細な説明】
【０００１】
【発明の属する技術分野】
本発明は、陰極線管に用いられる偏向ヨークに関する。
【０００２】
【従来の技術】
陰極線管においては、電子銃から出射された電子ビームの進行方向を上下、左右に偏向することにより、画面上に画像を組み立てている。電子ビームの偏向には偏向ヨークが用いられる。偏向ヨークは、偏向コイル（水平偏向コイル、垂直偏向コイル）と磁性体コアとを有するもので、陰極線管のネック部からファンネル部に至るコーン部に装着される。この偏向ヨークでは、電子銃から出射された電子ビームを、偏向コイルに流れる偏向電流（水平偏向電流、垂直偏向電流）の電磁作用によって上下、左右に偏向する。
【０００３】
従来の偏向ヨークの製造工程では、予めサドル形に巻線された一対の垂直偏向コイルを筒状のセパレータの外側に装着するにあたって、一対の垂直偏向コイルを突き合わせたときのコイル間隔を所定の寸法に保つために、セパレータにリブスペーサを取り付け、このリブスペーサに一対の垂直偏向コイルを突き当てた状態で、各々の垂直偏向コイルを粘着テープで仮付けしている。また、セパレータに一対の垂直偏向コイルを取り付けた後は、当該垂直偏向コイルを覆う状態で磁性体コアを装着し、その後、クロストーク調整を行ってから、一対の垂直偏向コイルをホットメルト等の接着剤を用いてセパレータに固定している。
【０００４】
ここで、偏向ヨークの偏向磁界により電子ビームを精度良く偏向させるためには、水平偏向コイルによる水平偏向磁界と垂直偏向コイルによる垂直偏向磁界が直角に交わっていることが必要条件となる。そこで、こうした直交磁界を得るために上記クロストーク調整が行われている。実際のクロストーク調整では、ある周波数の電流を水平偏向コイルに流しながら、水平偏向コイルに対して垂直偏向コイルを回転させる。そして、垂直偏向コイルに誘起される電圧が最小となる位置（磁気的な直交性が得られる位置）で垂直偏向コイルを固定する。
【０００５】
【発明が解決しようとする課題】
ところで、クロストーク調整を行うにあたっては、一対の垂直偏向コイルを回転させるために、各々の垂直偏向コイルをチャッキングする必要がある。ただし、クロストーク調整時には、一対の垂直偏向コイルの外側に磁性体コアが取り付けられているため、チャッキングできる部位が限定される。具体的には、垂直偏向コイルの前端部と後端部に形成される渡り線部（ベンド部）だけが露出するため、この渡り線部をチャッキングしながら、一対の垂直偏向コイルを同時に動かすことになる。
【０００６】
しかしながら、一般に、垂直偏向コイルの渡り線部の外周形状は円弧状になっているため、非常にチャッキングしにくいうえ、コイル線材自体が滑りやすいため、クロストーク調整を精度良く行うことが難しかった。また、垂直偏向コイルを強い力でチャッキングすると、垂直偏向コイルの巻線形状が崩れて外観上の問題が生じるため、チャッキング力を高めるにも限界があった。
【０００７】
こうした問題に関して、例えば実用新案登録第２６０４８８８号公報には、上記リブスペーサに細長い孔部を設け、この孔部にセパレータの内周側からクロストーク調整治具の突起部を挿入してリブスペーサにクロストーク調整治具を係止させ、クロストーク調整治具の回転により垂直偏向コイルを回転させる技術が記載されている。
【０００８】
ところが、上記公報に記載された技術では、クロストーク調整治具を回転させたときに、その回転力が一対の垂直偏向コイルに均一に作用する構成になっていない。即ち、一対の垂直偏向コイルの突き合わせ部分で、リブスペーサに係止させたクロストーク調整治具を回転させると、その回転力が片側の垂直偏向コイルにのみ作用する。そのため、クロストーク調整治具の回転に対して一対の垂直偏向コイルの回転が追従せず、結果として一対の垂直偏向コイルの相対位置（特に、突き合わせ間隔）がばらついてコンバージェンス特性に影響を与えてしまう。また、一対の垂直偏向コイルを粘着テープで仮付けした場合でも、粘着テープの保持力が低いため、一対の垂直偏向コイルの相対位置のばらつきを抑えることは難しい。そのため、クロストーク調整時にコンバージェンス特性への影響を抑えるには、一対の垂直偏向コイルの渡り線部をチャッキングせざるを得ず、結果的に上記同様の不具合を招いてしまう。
【０００９】
本発明は、上記課題を解決するためになされたもので、その目的とするところは、一対の垂直偏向コイルの相対位置にばらつきを生じることなく、クロストーク調整を適切に行うことが可能な偏向ヨークを提供することにある。
【００１０】
【課題を解決するための手段】
本発明に係る偏向ヨークは、ヨーク中心軸方向の一方を他方よりも大きく開口した筒形のセパレータと、このセパレータの外側に巻装されるとともに、ヨーク水平軸方向で互いに対向する状態に配置された一対の垂直偏向コイルと、セパレータに取り付けられるとともに、ヨーク水平軸方向から一対の垂直偏向コイルを突き当てることにより当該一対の垂直偏向コイルの突き合わせ部分に所定の間隔を確保し、かつその突き合わせ部分で一対の垂直偏向コイルを相互に連結する連結部を有する一対のスペーサ部材とを備えた構成となっている。
【００１１】
上記構成の偏向ヨークにおいては、一対のスペーサ部材にそれぞれ連結部を設け、この連結部により一対の垂直偏向コイルを相互に連結することにより、一対の垂直偏向コイルを回転させてクロストーク調整を行う場合に、一対の垂直偏向コイルの相対位置が一対のスペーサ部材によって保持されるようになる。
【００１２】
【発明の実施の形態】
以下、本発明の実施の形態について図面を参照しつつ詳細に説明する。
【００１３】
図１は本発明が適用される陰極線管の全体像を示す概略斜視図である。図１において、陰極線管１０の本体部（ガラスバルブ）は、パネル部１１、ファンネル部１２及びネック部１３により構成されている。パネル部１１の内面には、赤（Ｒ），緑（Ｇ），青（Ｂ）の各色蛍光体を所定のパターンで配列した蛍光面（不図示）が形成されている。一方、ネック部１３には、電子ビームの出射源となる電子銃（ガン）１４が内装されている。また、ネック部１３からファンネル部１２に至るコーン部には、電子ビームを偏向する偏向ヨーク１５が装着されている。偏向ヨーク１５は、該ヨーク中心軸が陰極線管１０の中心軸に一致するように取り付けられている。陰極線管１０のコーン部は断面略長方形の角形コーン部となっているが、これは偏向効率の向上を目的としたものであって、コーン部の形状としては断面略円形とした丸形コーン部であってもよい。
【００１４】
上記構成の陰極線管１０は、パネル部１１内面の蛍光面にカラー画像（又は白黒画像）を再現するのに必要な各種の付属部品とともに図示しない筐体に組み込まれ、これによってテレビジョン受像機やコンピュータ用ディスプレイ等の表示装置が構成される。
【００１５】
図２は本発明に係る偏向ヨークの一部破断面を含む側面図である。図２において、偏向ヨーク１５には、水平偏向コイル１６、垂直偏向コイル１７、セパレータ１８、コア１９及びリングマグネット２０等の部品が装備されている。水平偏向コイル１６はセパレータ１８の内側に巻装され、垂直偏向コイル１７はセパレータ１８の外側に巻装されている。
【００１６】
水平偏向コイル１６は、サドル形に巻線されたもので、偏向ヨーク１５の上下に対をなして配置されている。垂直偏向コイル１７は、サドル形に巻線されたもので、偏向ヨーク１５の左右に対をなして配置されている。さらに詳述すると、一対の水平偏向コイル１６は、セパレータ１８の内側にセクション巻きによってサドル形に巻線されたもの、或いは予め巻線金型（巻き型）を用いた巻線方式（金型巻き）によりサドル形に巻線されたもので、ヨーク中心軸（以下、Ｚ軸とも記す）上で交差する直交二軸方向のうち、ヨーク垂直軸方向（以下、Ｙ軸とも記す）で互いに対向する状態に配置されている。一対の垂直偏向コイル１７は、予め巻線金型を用いた巻線方式によりサドル形に巻線されたもので、Ｙ軸に直交するヨーク水平軸方向（以下、Ｘ軸とも記す）で互いに対向する状態に配置されている。そして、電子銃１４から出射される電子ビームの軌道上において、一対の水平偏向コイル１６は電子ビームを左右（水平軸方向）に偏向する水平偏向磁界を形成し、一対の垂直偏向コイル１７は電子ビームを上下（垂直軸方向）に偏向する垂直偏向磁界を形成する。
【００１７】
セパレータ１８は樹脂等の絶縁材料からなるもので、全体として筒形に形成されている。また、セパレータ１８は、Ｚ軸方向の一方（図の左側）を他方（図の右側）よりも大きな径で開口した筒形構造をなすとともに、その大径側開口部の開口形状が上記コーン部の断面形状に対応して略長方形に形成されている。コーン部の断面形状が円形である場合は、これに対応してセパレータ１８の大径側開口部の開口形状も円形となる。
【００１８】
磁性体コア（以下、コアと略称）１９はフェライト等の磁性材料（軟質磁性材料）からなるもので、上記セパレータ１８と同様にＺ軸方向の一方を他方よりも大きな径で開口した筒形構造をなしている。このコア１９は、水平偏向コイル１６及び垂直偏向コイル１７が発生する磁界の効力を高めるために、それらの偏向コイル１６，１７を覆うように装着されている。リングマグネット２０は、電子銃１４の組み立て誤差等による電子ビームの軌道ずれを補正するために、偏向ヨーク１５の後端側に取り付けられている。
【００１９】
図３は本発明の実施形態で採用した偏向ヨークの構成を示す斜視図である。また、図４は本発明の実施形態で採用したリブスペーサの構成を示す斜視図であり、図５は本発明の実施形態で採用した偏向ヨークの構成を示す分解斜視図である。図示した偏向ヨーク１５において、セパレータ１８の大径側開口部には、樹脂等の絶縁材料からなる前カバー２１が取り付けられている。前カバー２１には、画歪み補正用のマグネットなどが保持されている。また、偏向ヨーク１５の後端側には、上述したリングマグネット２０とともにコンバージェンス補正用コイル２２が搭載されている。さらに、前カバー２１とコンバージェンス補正用コイル２２との間に架け渡す状態で回路基板（プリント配線基板）２３が取り付けられている。
【００２０】
一対の垂直偏向コイル１７は、それぞれＸ軸方向からセパレータ１８を挟み込む状態で当該セパレータ１８の外側に取り付けられるとともに、その突き合わせ部分がＹ軸近傍に配置されている。また、一対の垂直偏向コイル１７の内周面はセパレータ１８の外周面に倣って配置されている。ちなみに、本実施形態で採用したセパレータ１８は、Ｙ軸を境に分割される一対のセパレータ半体を組み付けることにより全体として筒形に形成（一体化）されるものであるが、これを樹脂の一体成形によって形成することも可能である。
【００２１】
一方、各々の垂直偏向コイル１７の前端部と後端部には、それぞれ垂直偏向コイル１７のコイル線材を径方向に積み上げた渡り線部（ベンド部）１７Ａ，１７Ｂが形成されている。各々の渡り線部１７Ａ，１７Ｂは、垂直偏向コイル１７の前端部と後端部でそれぞれコイル線材を円周方向に渡らせることによって形成されるものである。これに対して、セパレータ１８の大径開口部側には、当該セパレータ１８の径方向に突出する状態でフランジ部１８Ａが形成されている。そして、垂直偏向コイル１７の前端側の渡り線部１７Ａはセパレータ１８のフランジ部１８Ａに突き当てられ、これによってＺ軸方向における垂直偏向コイル１７の位置（動き）が規制されている。
【００２２】
また、一対の垂直偏向コイル１７の突き合わせ部分にはリブスペーサ２４が介装されている。このリブスペーサ２４は、例えば樹脂の一体成形によって形成されるもので、Ｙ軸方向の一方と他方に対をなして配置されている。また、各々のリブスペーサ２４は、Ｚ軸を中心とした円周方向でＹ軸上に配置されている。コア１９の内側では、各々のリブスペーサ２４にＸ軸方向から一対の垂直偏向コイル１７が突き当てられるとともに、一対の垂直偏向コイル１７がコア１９によって押さえ込まれている。これにより、一対の垂直偏向コイル１７の突き合わせ部分には、それぞれリブスペーサ２４によって所定の間隔が確保されている。また、セパレータ１８からの一対の垂直偏向コイル１７の浮き上がりがコア１９によって規制されている。
【００２３】
セパレータ１８の筒壁部には、Ｚ軸方向に沿う長孔状の連通部１８Ｂが設けられている。この連通部１８Ｂは、Ｙ軸方向の一方と他方のセパレータ筒壁部に相対向する状態で形成されている。連通部１８Ｂは、リブスペーサ２４の本体部をセパレータ１８の内周側に露出させるもので、一対の水平偏向コイル１６の非巻線部（窓部）に対応する位置に形成されている。したがって、一対の水平偏向コイル１６をセパレータ１８に組み付けた状態でも、連通部１８Ｂが水平偏向コイル１６によって塞がれることはない。
【００２４】
ここで、リブスペーサ２４の構造を図４を参照して詳しく説明する。リブスペーサ２４は、例えば樹脂の一体成形によって得られるもので、緩やかな円弧状をなす棒状のスペーサ本体２５と、このスペーサ本体２５の一方端に形成された差込部２６と、スペーサ本体２５の他方端に形成された連結部２７とによって構成されている。
【００２５】
スペーサ本体２５は、Ｚ軸方向でセパレータ１８の外周面に沿うように形成されている。スペーサ本体２５には、当該スペーサ本体２５の長手方向に沿ってスリット状の係止孔２８が形成されている。この係止孔２８の形成部位では、リブスペーサ２４のスペーサ本体２５が上記連通部１８Ｂを介してセパレータ１８の内周側に露出した状態となる。スペーサ本体２５の幅は、連通部１８Ｂの幅よりも大きく設定されている。
【００２６】
差込部２６は、リブスペーサ２４の取付位置に対応してセパレータ１８に設けられたボックス型の受け部１８Ｃに差し込まれるもので、受け部１８Ｃに対して抜き差し可能に形成されている。差込部２６には二股状をなす一対の弾性片２９が形成されている。一対の弾性片２９は、スペーサ本体２５の端部から一体に延出したもので、それぞれ図中矢印で示すスペーサ本体２５の幅方向（短手方向）に適度な弾性（可撓性）を有している。そして、セパレータ１８の受け部１８Ｃにリブスペーサ２４の差込部２６を差し込んだ状態では、一対の弾性片２９の弾性変形を利用して、リブスペーサ２４をＸ軸方向（双方向）に若干移動し得る構成となっている。
【００２７】
連結部２７は、セパレータ１８の大径開口部側（垂直偏向コイル１７の前端側）で一対の垂直偏向コイル１７を相互に連結するもので、セパレータ１８にリブスペーサ２４を取り付けた状態では、セパレータ１８の大径開口部側でＹ軸を跨ぐ状態に配置される。この連結部２７は、スペーサ本体２５の他方端に当該スペーサ本体２５よりも幅広に膨出して形成され、この幅広部分に一対の係合部３０が形成されている。連結部２７の幅広部分は、全体にほぼ平板状をなして平面視略横長円形状に形成される。また、連結部２７の幅広部分は、スペーサ本体２５の他端部で当該スペーサ本体部２５と所定の角度（鈍角）をなして曲げられている。一対の係合部３０は、連結部２７の幅広部分の一面からスペーサ本体２５と反対側に突出したもので、それぞれ断面円形のピン形状（丸ピン状）に形成されている。
【００２８】
続いて、上記構成のリブスペーサ２４を備えた偏向ヨークの製造方法について説明する。なお、一対の水平偏向コイル１６、一対の垂直偏向コイル１７、セパレータ１８、一対のリブスペーサ２４を除く他の偏向ヨーク部品（リングマグネット２０、前カバー２１、コンバージェンス補正用コイル２２、回路基板２３等）の取り付けに関する説明は省略する。
【００２９】
先ず、筒状のセパレータ１８の内側に一対の水平偏向コイル１６をサドル形に巻線する、或いは予めサドル形に巻線（金型巻き）された一対の水平偏向コイル１６を筒状のセパレータ１８の内側に装着することにより、一対の水平偏向コイル１６を一体に有するセパレータ１８を得る。
【００３０】
次に、予めサドル形に巻線された一対の垂直偏向コイル１７をセパレータ１８の外側に取り付けるとともに、一対のリブスペーサ２４をセパレータ１８に取り付ける。垂直偏向コイル１７を取り付ける場合は、Ｘ軸方向からセパレータ１８の外周部に垂直偏向コイル１７を組み付けた後、その前端側の渡り線部１７Ａをセパレータ１８のフランジ部１８Ａに突き当てるようにする。また、リブスペーサ２４に対しては、垂直偏向コイル１７の主巻線部（渡り線部を除く巻線部分）の端面部をＸ軸方向からスペーサ本体２５の側面部に突き当てるようにする。
【００３１】
一方、リブスペーサ２４を取り付ける場合は、スペーサ本体２５の一方端に設けられた差込部２６をセパレータ１８の受け部１８Ｃに挿し込む。このとき、受け部１８Ｃの奥側まで差込部２６を差し込むことにより、図６に示すように、連結部２７に設けられた一対の係合部３０を、一対の垂直偏向コイル１７の渡り線部１７Ａから若干浮いた状態にする。次いで、リブスペーサ２４をセパレータ１８の大径開口側に移動（スライド）させることにより、図７及び図８に示すように、一対の垂直偏向コイル１７の突き合わせ部分で、各々の垂直偏向コイル１７に設けられた巻線用ガイド孔１７Ｃに一対の係合部３０を係合させる。このとき、リブスペーサ２４のスペーサ本体２５は、セパレータ１８の連通部１８Ｂのエッジ部に乗った状態となる。
【００３２】
巻線用ガイド孔１７Ｃは、巻線金型を用いて垂直偏向コイル１７をサドル形に巻線する場合に、コンバージェンス調整に適した巻線分布を得るなどの目的で、巻線金型のガイドピンにコイル線材を巻き付けることにより形成されるものである。この巻線用ガイド孔１７Ｃ内には上記ガイドピンへのコイル線材の巻き付けによって略半円形の凹状部が形成されるため、この凹状部に一対の係合部３０を係合させる。このとき、一対の係合部３０のピン形状を先細のテーパ状とすることにより、一対の垂直偏向コイル１７の巻線用ガイド孔１７Ｃに対して一対の係合部３０をスムーズにガタツキなく係合させることができる。
【００３３】
このように一対のリブスペーサ２４の各連結部２７に形成された一対の係合部３０を、一対の垂直偏向コイル１７に形成された巻線用ガイド孔１７Ｃに各々係合させることにより、一対の垂直偏向コイル１７がその突き合わせ部分で一対のリブスペーサ２４の各連結部２７により相互に連結（結合）された状態となる。そのため、Ｘ軸方向における一対の垂直偏向コイル１７の動きがリブスペーサ２４によって規制されるとともに、一対の垂直偏向コイル１７の突き合わせ部分で、当該一対の垂直偏向コイル１７の間隔Ｄがリブスペーサ２４によって一定に保持される。一対の垂直偏向コイル１７の突き合わせ部分に確保される間隔Ｄは、リブスペーサ２４のスペーサ本体２５の幅寸法に対応したものとなる。
【００３４】
続いて、セパレータ１８の外側に一対の垂直偏向コイル１７を覆う状態でコア１９を取り付ける。コア１９は、一対のコア半体をＹ軸方向から組み付けることにより、全体として筒状に形成される。このとき、コア１９の大径側の開口端をＺ軸方向から一対のリブスペーサ２４の各連結部２７に押し当てることにより、一対の垂直偏向コイル１７と一対の係合部３０との係合状態が保持される。また、コア１９の内周面で一対の垂直偏向コイル１７の外周面を適度に押さえることにより、一対の垂直偏向コイル１７の浮き上がりが規制される。
【００３５】
その後、偏向ヨーク部品の組み付けがほぼ完了した段階でクロストーク調整を行う。このクロストーク調整では、図９に示すクロストーク調整治具（以下、調整治具と略称）３２を用いる。調整治具３２は、円盤状の治具ベース３３と、この治具ベース３３を支持する回転操作棒３４と、治具ベース３３に一体に組み付けられた係止部材３５とを備える。係止部材３５は、薄板状に形成されるとともに、治具ベース３３から突出する一対の係止突起３５Ａを有する。各々の係止突起３５Ａは、上述のようにスペーサ本体２５に形成された係止孔２８にセパレータ１８の内側から係止されるもので、当該係止孔２８に対して抜き差し可能に形成されている。なお、図９においては、偏向ヨーク１５の構成上、垂直偏向コイル１７とリブスペーサ２４の取付状態を明示するために、コア１９を省略してある。
【００３６】
上記構成の調整治具３２を用いてクロストーク調整を行う場合は、先ず、セパレータ１８の所定部位（例えば、フランジ部１８Ａ）を用いて偏向ヨーク１５を固定状態に保持する。次いで、偏向ヨークの大径開口部側（図９の下側）からＺ軸方向に沿って調整治具３２をセパレータ１８内に挿入する。
【００３７】
調整治具３２をセパレータ１８内に挿入した際、治具ベース３３の係止部材３５に設けられた一対の係止突起３５Ａは、それぞれセパレータ１８の連通部１８Ｂ（図５参照）を介してリブスペーサ２４の係止孔２８に差し込まれる。これにより、調整治具３２の係止部材３５が一対のリブスペーサ２４に係止される。この状態で回転操作棒３４を矢印方向に適宜回転させると、この回転力が一対のリブスペーサ２４を介して一対の垂直偏向コイル１７に伝達される。
【００３８】
このとき、一対の垂直偏向コイル１７は一対のリブスペーサ２４によって相互に連結されているため、上述のように調整治具３２を回転させたときの回転力が一対のリブスペーサ２４を介して一対の垂直偏向コイル１７に均一に作用する。そのため、一対のリブスペーサ２４を調整治具３２の回転によって変位させると、これに追従して一対の垂直偏向コイル１７も変位する。つまり、一対のリブスペーサ２４と一対の垂直偏向コイル１７とが一体的に変位する。したがって、クロストーク調整時には、一対の垂直偏向コイル１７の相対位置が一対のリブスペーサ２４によって一定に保持される。
【００３９】
実際のクロストーク調整では、ある周波数の電流を一対の水平偏向コイル１６に流しながら、上記調整治具３２を用いて一対の垂直偏向コイル１７を適宜回転させ、一対の垂直偏向コイル１７に誘起される電圧が最小となるように調整する。クロストーク調整後は、一対の垂直偏向コイル１７をホットメルト等の接着剤を用いてセパレータ１８に固定する。
【００４０】
このように本実施形態においては、一対のリブスペーサ２４にそれぞれ連結部２７を設け、この連結部２７によって一対の垂直偏向コイル１７を相互に連結する構成としたので、クロストーク調整に際しては、一対の垂直偏向コイル１７の相対位置を一定に保持しつつ、一対の水平偏向コイル１６に対して一対の垂直偏向コイル１７を回転させることができる。これにより、一対の垂直偏向コイル１７の相対位置にばらつきを生じることなく、クロストーク調整を適切に行うことが可能となる。
【００４１】
また、セパレータ１８に連通部１８Ｂを設けるとともに、この連通部１８Ｂを介してリブスペーサ２４の係止孔２８をセパレータ１８の内周側に露出させることにより、クロストーク調整時には調整治具３２をセパレータ１８の内周側からリブスペーサ２４に係止させ、このリブスペーサ２４を介して一対の垂直偏向コイル１７を回転させることができる。これにより、クロストーク調整を行うにあたって、一対の垂直偏向コイル１７をチャッキングする必要がなくなる。そのため、クロストーク調整装置の構成を簡素化してコストダウンを図ることができる。また、調整治具３２の動きを一対の垂直偏向コイル１７に確実に伝達することができるため、クロストーク調整を高精度に行うことが可能となる。
【００４２】
なお、上記実施形態においては、クロストーク調整時にセパレータ１８の内周側から調整治具３２を挿入して一対の垂直偏向コイル１７を回転させる手法を採用したが、これ以外にも、例えば、一対の垂直偏向コイル１７を外側からチャッキングして回転させる手法（チャッキング方式）を採用してもよい。このチャッキング方式を採用した場合でも、一対の垂直偏向コイル１７の相対位置が上記同様に一対のリブスペーサ２４によって保持されるため、所期の目的を達成することが可能となる。
【００４３】
また、上記実施形態においては、リブスペーサ２４の連結部２４における係合部３０の形状をピン形状としたが、一対の垂直偏向コイル１７を相互に連結し得るものであれば、係合部３０はどのような形状のものであっても構わない。
【００４４】
【発明の効果】
以上説明したように本発明の偏向ヨークによれば、一対のスペーサ部材の各連結部で一対の垂直偏向コイルを相互に連結することにより、一対の垂直偏向コイルの相対位置を一定に保持することができる。そのため、クロストーク調整に際しては、一対の垂直偏向コイルの相対位置を一定に保持しつつ、一対の水平偏向コイルに対して一対の垂直偏向コイルを回転させることができる。その結果、一対の垂直偏向コイルの相対位置にばらつきを生じることなく、クロストーク調整を適切に行うことが可能となる。
【図面の簡単な説明】
【図１】本発明が適用される陰極線管の全体像を示す概略斜視図である。
【図２】本発明に係る偏向ヨークの一部破断面を含む側面図である。
【図３】本発明の実施形態に係る偏向ヨークの構成を示す斜視図である。
【図４】本発明の実施形態で採用したリブスペーサの構成を示す斜視図である。
【図５】本発明の実施形態に係る偏向ヨークの構成を示す分解斜視図である。
【図６】本発明の実施形態に係る偏向ヨークの製造過程を示す図（その１）である。
【図７】本発明の実施形態に係る偏向ヨークの製造過程を示す図（その２）である。
【図８】垂直偏向コイルとリブスペーサの係合状態を示す正面図である。
【図９】本発明の実施形態に係る偏向ヨークを用いたクロストーク調整の一例を示す図である。
【符号の説明】
１０…陰極線管、１５…偏向ヨーク、１６…水平偏向コイル、１７…垂直偏向コイル、１７Ａ，１７Ｂ…渡り線部、１７Ｃ…巻線用ガイド孔、１８…セパレータ、１８Ｂ…連通部、１９…コア、２４…リブスペーサ、２７…連結部、２８…係止孔、３０…係合部、３２…クロストーク調整治具
【図１】
2004022258.tif 000003
【図２】
2004022258.tif 000004
【図３】
2004022258.tif 000005
【図４】
2004022258.tif 000006
【図５】
2004022258.tif 000007
【図６】
2004022258.tif 000008
【図７】
2004022258.tif 000009
【図８】
2004022258.tif 000010
【図９】
2004022258.tif 000011